(57)【要約】      （修正有）【課題】高い仕切り機能を有し，かつベッドの搬入や移動を容易に行うことができる間仕切り装置を提供する。【解決手段】間仕切り装置１００は，物品を収納するための収納ユニット１と，収納ユニット１に設けられた戸袋部２と，戸袋部２に収納される可動式の仕切り体３とを備えている。仕切り体３は，戸袋部２に収納されたときには，平面視で収納ユニット１から突出しない状態で収納されており，戸袋部２から引き出されたときには，平面視で収納ユニット１に直交する方向へと突出する状態で引き出される。仕切り体３は，他の仕切りパネルを格納できるように構成されているパネル格納仕切りパネル３１と，パネル格納仕切りパネル３１に格納される被格納仕切りパネル３２とを含み，パネル格納仕切りパネル３１は，戸袋部から引き出されたときに被格納仕切りパネル３２と連結され、かつ、被格納仕切りパネル３２に対し外側に位置する。【選択図】図１
2014095178.tif 000002
【特許請求の範囲】
【請求項１】
物品を収納するための収納ユニット（１）と，
前記収納ユニット（１）に設けられた戸袋部（２）と，
前記戸袋部（２）に収納される可動式の仕切り体（３）と，を備え，
前記仕切り体（３）は，前記戸袋部（２）に収納されたときには，平面視で前記収納ユニット（１）から突出しない状態で収納され，かつ前記戸袋部（２）から引き出されたときには，平面視で前記収納ユニット（１）に直交する方向へと突出する状態で引き出される，
間仕切り装置（１００）であって，
前記仕切り体（３）は，他の仕切りパネルを格納できるように構成されているパネル格納仕切りパネル（３１）と，前記パネル格納仕切りパネル（３１）に格納される被格納仕切りパネル（３２）と，を含み，
前記パネル格納仕切りパネル（３１）及び前記被格納仕切りパネル（３２）は，それぞれが連結した状態で，前記直交する方向へと引き出され，
前記パネル格納仕切りパネル（３１）は，前記戸袋部（２）から引き出されたときに前記被格納仕切りパネル（３２）に対し外側に位置する，
間仕切り装置。
【請求項２】
請求項１に記載の間仕切り装置であって，
前記パネル格納仕切りパネル（３１）は，２枚の側壁（３３，３４）を含み，
前記２枚の側壁（３３，３４）の間には，前記被格納仕切りパネル（３２）を格納するための開口部（３５）が設けられている，
間仕切り装置。
【請求項３】
請求項１又は２に記載の間仕切り装置であって，
前記パネル格納仕切りパネル（３１）の奥行き方向の長さは，前記戸袋部（２）の奥行き方向の長さと等しい，
間仕切り装置。
【請求項４】
請求項１から３のいずれかに記載の間仕切り装置であって，
前記パネル格納仕切りパネル（３１）の下端部には，キャスター（３６）が設けられている，
間仕切り装置。
【発明の詳細な説明】
【技術分野】
【０００１】
本願発明は，広い空間に個室を形成するための間仕切り装置に関する。具体的に説明すると，本発明は，空間を仕切るための仕切り体が，他の仕切りパネルを格納できるように構成されているパネル格納仕切りパネルと，被格納仕切りパネルとを含み，パネル格納仕切りパネルが，戸袋部から引き出されたときに被格納仕切りパネルに対し外側に位置する間仕切り装置に関する。
【背景技術】
【０００２】
従来から，病院や介護施設といった広い空間に個室を形成するための間仕切り装置が知られている。間仕切り装置は，空間を仕切って個室を形成する仕切り体と，仕切り体を収納する戸袋部とを設け，この戸袋部から仕切り体を出し入れするものが一般的である。
【０００３】
病院や介護施設においては，間仕切り装置を利用することにより，例えば大部屋に複数の病床が設けられている病室であっても，病床ごとの個室を形成することができる。また，病室内には，患者の日用品や衣類を収納するための収納ユニットを備えることが一般的であるため，収納ユニットに隣接させた状態で間仕切り装置を設置し，利用することができる。
【０００４】
特に，病院や介護施設では患者のプライバシーの保護が尊重されており，完全な個室に近い状態となるように空間を仕切ることが推奨されている。このため，間仕切り装置の仕切り機能（遮蔽機能）を高めることが重要な課題とされている。
【０００５】
上記の課題を解決するための間仕切り装置として，戸袋部を平面視で収納ユニットから張り出すように設けた間仕切り装置が提案されている（特許文献１）。特許文献１の間仕切り装置によれば，収納ユニットから張り出すように設けた戸袋部もまた，仕切りとして機能する。このため，間仕切り装置の仕切り機能を高めることができる。
【０００６】
ところで，病院や介護施設においては，病室に設けられたベッドの搬入や移動が頻繁に行われている。このため，間仕切り装置の仕切り機能を確保しつつ，ベッドの搬入や移動を妨げないことも重要な課題とされている。
【０００７】
上記の課題を解決するための間仕切り装置として，可動式仕切り体を設けた間仕切り装置が提案されている（特許文献２）。特許文献２の間仕切り装置によれば，固定式仕切り装置の端部に設けた可動式仕切り体を，固定式仕切り装置から前向きに延びる突出状態と，固定式仕切り装置から突出しない退避状態との間で，自由に切り替えることができる。そして，可動式仕切り体を退避状態にすることで，ベッドの搬入や移動を容易に行うことができる。
【先行技術文献】
【特許文献】
【０００８】
【特許文献１】特開２００７−３１９１８６号公報
【特許文献２】特開２００６−１８１３３７号公報
【発明の概要】
【発明が解決しようとする課題】
【０００９】
しかしながら，特許文献１に記載の間仕切り装置では，収納ユニットから張り出すように設けた戸袋部が収納ユニットに固定されているために，戸袋部及び戸袋部に収納した仕切り体が，ベッドの搬入や移動を制限してしまうという問題があった。
【００１０】
また，特許文献２に記載の間仕切り装置では，固定式仕切り装置の奥行き方向の長さを長く設けることで間仕切り装置の仕切り機能を高めるものであるために，間仕切り装置を備える収納ユニットの奥行き方向の長さも，長く設ける必要がある。このため，奥行き方向に長く設けた収納ユニットが，ベッドの搬入や移動を制限してしまうという問題があった。
【００１１】
このため，現在では，高い仕切り機能を有し，かつベッドの搬入や移動を容易に行うことができる間仕切り装置が求められている。
【課題を解決するための手段】
【００１２】
そこで，本発明の発明者は，上記の従来発明の課題を解決する手段について鋭意検討した結果，仕切り体にパネル格納仕切りパネル及び被格納仕切りパネルを設けるとともに，戸袋部から引き出したときにパネル格納仕切りパネルを被格納仕切りパネルに対し外側に設けることにより，仕切り体を戸袋部へと収納するときには，パネル格納仕切りパネルが被格納仕切りパネルを格納した状態とすることができるという知見を得た。そして，本発明者は，上記知見に基づけば，従来技術の課題を解決できることに想到し，本発明を完成させた。
具体的に本発明は，以下の構成を有する。
【００１３】
本発明の間仕切り装置は，物品を収納するための収納ユニット１と，収納ユニット１に設けられた戸袋部２と，戸袋部２に収納される可動式の仕切り体３と，を備える。
仕切り体３は，戸袋部２に収納されたときには，平面視で収納ユニット１から突出しない状態で収納され，かつ戸袋部２から引き出されたときには，平面視で収納ユニット１に直交する方向へと突出する状態で引き出される。
また，仕切り体３は，他の仕切りパネルを格納できるように構成されているパネル格納仕切りパネル３１と，パネル格納仕切りパネル３１に格納される被格納仕切りパネル３２と，を含む。
【００１４】
ここで，仕切り体３は，戸袋部２から引き出されるときには，パネル格納仕切りパネル３１及び被格納仕切りパネル３２がそれぞれ連結した状態で，平面視で収納ユニット１に直交する方向へと引き出される。
このとき，パネル格納仕切りパネル３１は，戸袋部２から引き出されたときに被格納仕切りパネル３２に対し外側に位置する。すなわち，パネル格納仕切りパネル３１は，戸袋部２から引き出されたときに収納ユニット１から最も離れた位置に位置する。
このため，仕切り体３は，戸袋部２に収納されるときには，パネル格納仕切りパネル３１が被格納仕切りパネル３２を格納した状態で，戸袋部２へと収納される。
【００１５】
上記のような構造を有することにより，本発明によれば，仕切り体３を引き出して空間を仕切るときには，パネル格納仕切りパネル３１及び被格納仕切りパネル３２が連結した複数枚の仕切りパネルによって，空間を仕切ることができる。このため，本発明の間仕切り装置は高い仕切り機能を有する。
また，引き出した仕切り体３を戸袋部２へと収納するときには，パネル格納仕切りパネル３１が被格納仕切りパネル３２を格納した１枚状の仕切りパネルとして，戸袋部２に収納することができる。このため，収納ユニット１及び戸袋部２の奥行き方向の長さを短くすることができ，収納ユニット１及び戸袋部２がベッドの搬入や移動を制限する事態を防ぐことができる。
【００１６】
本発明において，パネル格納仕切りパネル３１は，２枚の側壁３３，３４を含むことが好ましい。パネル格納仕切りパネル３１が２枚の側壁３３，３４を含むことにより，２枚の側壁３３，３４の間に開口部３５を設け，この開口部３５に被格納仕切りパネル３２を格納することができる。このように，被格納仕切りパネル３２を格納するための構造を容易に設けることができる。
【００１７】
本発明において，パネル格納仕切りパネル３１の奥行き方向の長さは，戸袋部２の奥行き方向の長さと等しいことが好ましい。上述したように，仕切り体３は，パネル格納仕切りパネル３１が被格納仕切りパネル３２を格納した状態で，戸袋部２に収納される。このため，パネル格納仕切りパネル３１の奥行き方向の長さを戸袋部２の奥行き方向の長さと等しくすることで，仕切り体３は戸袋部２にほぼ隙間なく収納される。このような構成を有することにより，戸袋部２に収納した仕切り体３が，戸袋部２内で移動することを防ぐことができる。また，パネル格納仕切りパネル３１に格納された被格納仕切りパネル３２が，戸袋部２内で突出することを防ぐことができる。
【００１８】
本発明において，パネル格納仕切りパネル３１の下端部には，キャスター３６が設けられていることが好ましい。パネル格納仕切りパネル３１の下端部にキャスター３６を設けることにより，パネル格納仕切りパネル３１の移動を円滑にすることができるとともに，パネル格納仕切りパネル３１を移動させるときの負荷を軽減することができる。このため，仕切り体３の，戸袋部２からの引き出し及び戸袋部２への収納を容易にすることができる。
【図面の簡単な説明】
【００１９】
【図１】図１は，本発明の仕切り体の使用状態を示す斜視図である。
【図２】図２は，本発明の仕切り体の使用状態を示す平面図である。
【図３】図３は，本発明の仕切り体の収納途中の状態を示す斜視図である。
【図４】図４は，本発明の仕切り体の収納途中の状態を示す平面図である。
【図５】図５は，本発明の仕切り体の収納状態を示す斜視図である。
【図６】図６は，本発明の仕切り体の収納状態を示す平面図である。
【図７】図７は，本発明の間仕切り装置の使用態様を示す概略図である。
【発明を実施するための形態】
【００２０】
以下，図面を用いて本発明を実施するための形態について説明する。本発明は，以下に説明する形態に限定されるものではなく，以下の形態から当業者が自明な範囲で適宜修正を加えたものも含む。
【００２１】
（１．間仕切り装置の構成）
まず，図面を参照して，本発明の間仕切り装置１００の構成について説明する。
図１に示されるように，本発明の間仕切り装置１００は，物品を収納するための収納ユニット１と，空間を仕切るための可動式の仕切り体３を備える。また，収納ユニット１は，仕切り体３を収納するための戸袋部２を有する。
【００２２】
収納ユニット１は，病院や介護施設における患者の日用品や衣類といった物品を収納するためのものである。収納ユニット１には，例えば，開き戸タイプの収納棚１１，引き出しタイプの収納棚１２，又は引き戸タイプの収納棚といった収納棚を設けることができる。また，収納ユニット１は，例えば，テレビ１３，ラジオ，パソコン，冷蔵庫，又は金庫といった備品を備えていてもよい。
【００２３】
収納ユニット１は，２つの収納ユニットを含むものであってもよい。また，図５に示されるように，左右一対の収納ユニットを含むものであってもよい。２つの収納ユニットを含む場合，２つの収納ユニットの間に戸袋部２を設けることができる。このため，戸袋部２から仕切り体３を引き出すことにより，仕切り体３を挟んだ左右両側に２つの個室を形成することができる。ただし，収納ユニット１は，１つの収納ユニットにより構成されていてもよい。
【００２４】
図１に示されるように，収納ユニット１の下端部には，キャスター１４を設けてもよい。キャスター１４を設けることにより，収納ユニット１を円滑に移動することができる。キャスター１４は，移動係止機能を備えるキャスターであってもよい。ただし，収納ユニット１は，床に定着させてもよい。
【００２５】
収納ユニット１には，仕切り体３を収納するための戸袋部２が設けられる。収納ユニット１に戸袋部２を設ける方法は，特に限定されない。例えば収納ユニット１として２つの収納ユニットを用いる場合，戸袋部２は２つの収納ユニットを並べて形成した空間であってもよい。また，図１に示されるように，２つの収納ユニットに共通する天壁及び底壁を取り付けることで開口を設け，戸袋部２を形成してもよい。収納ユニット１として１つの収納ユニットを用いる場合，天壁，底壁，少なくとも１枚の側壁，及び後壁によって戸袋部２を形成し，収納ユニット１に取り付けてもよい。この場合，収納ユニット１に取り付けられた戸袋部２は，平面視で収納ユニットから突出しない状態であればよい。
【００２６】
仕切り体３は，空間を仕切り，個室を形成するためのものである。図２に示されるように，仕切り体３は，平面視で収納ユニット１に直交する方向へと突出するように戸袋部２から引き出される。なお，本明細書において，「平面視で収納ユニット１に直交する方向」とは，本発明の間仕切り装置を平面から視たときに，引き出された仕切り体３が収納ユニット１の一辺に対して垂直をなす方向をいう。
また，図６に示されるように，仕切り体３は，平面視で収納ユニット１から突出しない状態で戸袋部２に収納される。これにより，ベッドの搬入又は移動のためのスペースを形成する。
【００２７】
図１に示されるように，仕切り体３は，パネル格納仕切りパネル３１と被格納仕切りパネル３２を含む。パネル格納仕切りパネル３１は，他の仕切りパネルを格納することができるように構成されている仕切りパネルである。被格納仕切りパネル３２は，パネル格納仕切りパネル３１に格納される仕切りパネルである。
【００２８】
図１に示されるように，パネル格納仕切りパネル３１は，２枚の側壁３３，３４を含むことが好ましい。パネル格納仕切りパネル３１が２枚の側壁３３，３４を含むことにより，２枚の側壁３３，３４の間に開口部３５を設け，被格納仕切りパネル３２を格納することができる。このように，被格納仕切りパネル３２を格納するための構造を容易に設けることができる。また，パネル格納仕切りパネル３１は，天壁，底壁，及び前壁を更に含んでもよい。天壁，底壁，及び前壁を有することにより，例えば開口部内上部又は下部にローラーを設け，被格納仕切りパネル３２の上部又は下部に，ローラーに係合するスライダーを設けることができる。ただし，パネル格納仕切りパネル３１が被格納仕切りパネル３２を格納する方法は特に限定されない。例えばパネル格納仕切りパネル３１が１枚の側壁からなる場合，側壁の上部及び下部に水平方向突出部を設け，この水平方向突出部に被格納仕切りパネル３２を格納することができる。
【００２９】
パネル格納仕切りパネル３１において，床からパネル格納仕切りパネル３１の上部までの高さは，一般成人男性の身長よりも高いことが好ましい。床からの高さは，好ましくは１８０ｃｍ〜２００ｃｍであり，更に好ましくは１９０ｃｍである。ただし，天井からの照明やスプリンクラーによる排水を遮断するのを防ぐため，パネル格納仕切りパネル３１の上部から天井までは所定距離離間しておくことが好ましい。
【００３０】
パネル格納仕切りパネル３１の奥行き方向の長さは，戸袋部２の奥行き方向の長さと等しいことが好ましい。仕切り体３は，パネル格納仕切りパネル３１が被格納仕切りパネル３２を格納した状態で，戸袋部２に収納される。このため，パネル格納仕切りパネル３１の奥行き方向の長さを戸袋部２の奥行き方向の長さと等しくすることにより，仕切り体３は戸袋部２にほぼ隙間なく収納される。このような構成を有することにより，戸袋部２に収納した仕切り体３が，戸袋部２内で移動することを防ぐことができる。また，パネル格納仕切りパネル３１に格納された被格納仕切りパネル３２が，戸袋部２内で突出することを防ぐことができる。
【００３１】
パネル格納仕切りパネル３１の下端部には，キャスターを設けることが好ましい。パネル格納仕切りパネル３１の下端部にキャスター３６を設けることにより，パネル格納仕切りパネル３１の移動を円滑にすることができるとともに，パネル格納仕切りパネル３１を移動させるときの負荷を軽減することができる。このため，仕切り体３の，戸袋部２からの引き出し及び戸袋部２への収納を容易にすることができる。また，パネル格納仕切りパネル３１の引出方向端部には，把手３９を設けてもよい。更に，被格納仕切りパネル３２の下端部にキャスターを設けてもよい。
【００３２】
パネル格納仕切りパネル３１及び被格納仕切りパネル３２には，透光板３７，３８を設けてもよい。透光板３７，３８を設けることで，室内の照明を遮るのを防ぎつつ，患者のプライバシーを保護することができる。
【００３３】
（２．仕切り体の使用状態）
次に，仕切り体３が戸袋部２から引き出された，本発明の仕切り体の使用状態を説明する。図１は，本発明の仕切り体の使用状態を示す斜視図である。図２は，本発明の仕切り体の使用状態を示す平面図である。
【００３４】
図１及び図２に示されるように，本発明の仕切り体の使用状態では，戸袋部２から引き出された仕切り体３が，平面視で収納ユニット１に直交する方向へと突出する状態で戸袋部２から引き出される。
【００３５】
後述するように，本発明の仕切り体の収納状態では，パネル格納仕切りパネル３１が戸袋部２の開口面に接する。このため，本発明の仕切り体を使用するときには，まずパネル格納仕切りパネル３１が戸袋部２から引き出される。このとき，引き出されたパネル格納仕切りパネル３１は，端部において被格納仕切りパネル３２と連結する。そして，パネル格納仕切りパネル３１及び被格納仕切りパネル３２が連結した状態で仕切り体３が戸袋部２から引き出されるとともに，パネル格納仕切りパネル３１が被格納仕切りパネル３２に対し外側に位置する。
【００３６】
このように，本発明の仕切り体の使用形態では，パネル格納仕切りパネル３１及び被格納仕切りパネル３２が連結した複数枚の仕切りパネルによって，空間を仕切ることができる。このため，本発明の間仕切り装置は高い仕切り機能を有する。なお，パネル格納仕切りパネル３１及び被格納仕切りパネル３２を連結する方法は特に限定されず，公知の方法を適宜用いることができる。
【００３７】
（３．仕切り体の収納状態）
次に，仕切り体３が戸袋部２に収納された，本発明の仕切り体３の収納状態を説明する。図３は，本発明の仕切り体の収納途中の状態を示す斜視図である。図４は，本発明の仕切り体の収納途中の状態を示す平面図である。また，図５は，本発明の仕切り体の収納状態を示す斜視図である。図６は，本発明の仕切り体の収納状態を示す平面図である。
【００３８】
本発明の仕切り体３の使用状態では，パネル格納仕切りパネル３１が被格納仕切りパネル３２に対し外側に設けられている。すなわち，パネル格納仕切りパネル３１は，戸袋部２から引き出されたときに収納ユニット１から最も離れた位置に位置する。このため，仕切り体３を戸袋部２に収納するときには，まずパネル格納仕切りパネル３１が戸袋部２方向に押し出される。このとき，図３及び図４に示されるように，パネル格納仕切りパネル３１は，被格納仕切りパネル３２を格納する。
【００３９】
このように，本発明の仕切り体の収納途中の状態では，複数枚の仕切りパネルを，パネル格納仕切りパネル３１が被格納仕切りパネル３２を格納した１枚状の仕切りパネルとすることができる。
【００４０】
そして，パネル格納仕切りパネル３１が被格納仕切りパネル３２を格納した１枚状の仕切りパネルを戸袋部２に収納することで，仕切り体３を戸袋部２に収納することができる。このとき，図５及び図６に示されるように，パネル格納仕切りパネル３１が戸袋部２の開口面に接する状態で，仕切り体３を戸袋部２に収納することができる。
【００４１】
このように，本発明の仕切り体の収納状態では，パネル格納仕切りパネル３１が被格納仕切りパネル３２を格納した１枚状の仕切りパネルとして，戸袋部２に収納することができる。このため，収納ユニット１及び戸袋部２の奥行き方向の長さを短くすることができ，収納ユニット１及び戸袋部２がベッドの搬入や移動を制限する事態を防ぐことができる。収納ユニット１及び戸袋部２の奥行き方向の長さは，好ましくは８０ｃｍ〜１００ｃｍであり，更に好ましくは９０ｃｍである。
【００４２】
また，図６に示されるように，仕切り体３は，平面視で収納ユニット１から突出しない状態で戸袋部２に収納される。このため，ベッドの搬入や移動のためのスペースを形成することができる。
【００４３】
（４．間仕切り装置の使用例）
ここで，本発明の間仕切り装置の使用例について説明する。図７は，本発明の間仕切り装置の使用態様を示す概略図である。なお，図７において斜線であらわした部分は，部屋の壁を意味する。
【００４４】
図７に示されるように，本発明の仕切り体を使用している状態では，連結したパネル格納仕切りパネル３１及び被格納仕切りパネル３２が空間を仕切り，仕切り体３を挟んだ左右両側に２つの個室Ｒ１，Ｒ２を形成することができる。そして，一方の個室Ｒ１へとベッド４を搬入する必要があるとき，あるいは一方の個室からベッド４を移動する必要があるときには，仕切り体３を戸袋部２へと収納し，ベッド４の搬入や移動のための空間を確保することができる。また，本発明の間仕切り装置においては，収納ユニット１及びの奥行き方向の長さを短くすることができるため，収納ユニット１及び戸袋部２がベッド４の搬入や移動を妨げる事態を防ぐことができる。
【００４５】
このように，本発明の間仕切り装置を使用することにより，高い仕切り機能を確保しつつ，ベッドの搬入や移動を容易に行うことができる。
【符号の説明】
【００４６】
１  収納ユニット
１１  収納棚
１２  収納棚
１３  テレビ
１４  キャスター
２  戸袋部
３  仕切り体
３１  パネル格納仕切りパネル
３２  被格納仕切りパネル
３３  側壁
３４  側壁
３５  開口部
３６  キャスター
３７  透光板
３８  透光板
３９  把手
４  ベッド
１００  間仕切り装置
【図１】
2014095178.tif 000003
【図２】
2014095178.tif 000004
【図３】
2014095178.tif 000005
【図４】
2014095178.tif 000006
【図５】
2014095178.tif 000007
【図６】
2014095178.tif 000008
【図７】
2014095178.tif 000009
【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
物品を収納するための収納ユニット（１）と，
前記収納ユニット（１）に設けられた戸袋部（２）と，
前記戸袋部（２）に収納される可動式の仕切り体（３）と，を備え，
前記仕切り体（３）は，前記戸袋部（２）に収納されたときには，平面視で前記収納ユニット（１）から突出しない状態で収納され，かつ前記戸袋部（２）から引き出されたときには，平面視で前記収納ユニット（１）に直交する方向へと突出する状態で引き出される，
間仕切り装置（１００）であって，
前記仕切り体（３）は，他の仕切りパネルを格納できるように構成されているパネル格納仕切りパネル（３１）と，前記パネル格納仕切りパネル（３１）に格納される被格納仕切りパネル（３２）と，を含み，
前記パネル格納仕切りパネル（３１）及び前記被格納仕切りパネル（３２）は，それぞれが連結した状態で，前記直交する方向へと引き出され，
前記パネル格納仕切りパネル（３１）は，前記戸袋部（２）から引き出されたときに前記被格納仕切りパネル（３２）に対し外側に位置し，
前記パネル格納仕切りパネル（３１）は，天壁，前記天壁に対向する底壁，前記天壁及び前記底壁に連接する前壁及び２枚の側壁（３３，３４）を含み，
前記パネル格納仕切りパネル（３１）には，前記天壁，前記底壁，前記前壁及び前記２枚の側壁（３３，３４）に囲まれた，前記被格納仕切りパネル（３２）を格納するための開口部（３５）が設けられており，
前記開口部内上部又は下部には，ローラーが設けられており，
前記被格納仕切りパネル（３２）の上部又は下部には，前記ローラーに係合するスライダーが設けられている，
間仕切り装置。
【請求項２】
請求項１に記載の間仕切り装置であって，
前記パネル格納仕切りパネル（３１）の奥行き方向の長さは，前記戸袋部（２）の奥行き方向の長さと等しい，
間仕切り装置。
【請求項３】
請求項１又は２に記載の間仕切り装置であって，
前記パネル格納仕切りパネル（３１）の下端部には，キャスター（３６）が設けられている，
間仕切り装置。